(57)【要約】  ビデオカメラをスタンド（１０）に取り付ける電池パックに関して開示する。電池パック（２０）は、片面にカメラの一部（１８）と係合する第１連結手段（２２，２３）と、他面にスタンドの一部（１５）と係合する第２連結手段（２１）とを有する。第１連結手段と第２連結手段とは、嵌合構造であって、カメラを電池パックの上に取り付け、それから電池パックをスタンドの上に取り付けてもよいし、または、カメラを直接スタンドの上に取り付けてもよい。
2009534807.tif 000002
【特許請求の範囲】
【請求項１】
ビデオカメラをスタンドに取り付ける電池パックであって、
電池パックは、
片面に前記カメラと係合する第１連結手段と、
他面に前記スタンドと係合する第２連結手段と、を有し、
前記第１連結手段と前記第２連結手段とは嵌合構造であって、前記カメラを前記電池パックに取り付け、前記電池パックを前記スタンドに取り付けてもよいし、または、前記カメラを前記スタンドに直接取り付けてもよいことを特徴とする電池パック。
【請求項２】
請求項１に記載の電池パックであって、前記連結手段のうちの少なくとも１つは、前記電池パックと前記電気パックが係合する前記部品との間の直線的な調節を可能にすることを特徴とする電池パック。
【請求項３】
請求項２に記載の電池パックであって、前記第１連結手段は前記電池パックに対する前記カメラの直線的な調節を可能にし、前記第２連結手段は前記スタンドに対する前記電池パックの直線的な調節を可能にすることを特徴とする電池パック。
【請求項４】
請求項２または３に記載の電池パックであって、前記第１連結手段と前記第２連結手段とによって可能となる、前記電池パックに対する前記カメラの調節と、前記スタンドに対する前記電池パックの調節とは、平行する直線的な調節であることを特徴とする電池パック。
【請求項５】
請求項３または４に記載の電池パックであって、前記カメラに対する前記電池パックの直線的な調節を可能にする前記第１連結手段は、前記カメラの光軸と平行する調節を可能にすることを特徴とする電池パック。
【請求項６】
請求項１乃至５のいずれか１項に記載の電池パックであって、前記電池パックの前記第１連結手段は、前記カメラのスライド部を受け適所でロックする手段を含むスライドガイド部を有し、前記電池パックの前記第２連結手段は、前記スタンドのスライドガイド部と係合するスライド部を有し、前記スタンドの前記スライドガイド部は前記スライド部を前記スライドガイド部の所望の位置にロックする手段を含むことを特徴とする電池パック。
【請求項７】
請求項６に記載の電池パックであって、前記電池パックの前記片面にある前記スライドガイド部は、前記カメラ取り付けプレートを前記カメラの前記光軸と平行になるようにスライドさせる面と、前記スライドガイド部の片側いずれかに位置し前記スライド部を前記スライドガイド部に沿った任意の調節位置でロックする締め付け手段と、を有することを特徴とする電池パック。
【請求項８】
請求項７に記載の電池パックであって、前記締め付け手段は、前記スライドガイド部の片側にある固定された噛み合い部と、前記スライドガイド部の前記他側にある調節可能な噛み合い部と、を有し、前記調整可能な噛み合い部は、前記固定された噛み合い部の方向または逆の方向に移動可能であって、前記カメラ取り付けプレートを前記電池パックの前記複数の噛み合い部の間に締め付けることを特徴とする電池パック。
【請求項９】
請求項８に記載の電池パックであって、前記カメラ取り付けプレートは、前記電池パックの前記スライドガイド部と係合するような鳩尾断面部であって、前記電池パックの前記噛み合い部は前記プレートの傾斜側面と係合するような形状であることを特徴とする電池パック。
【請求項１０】
請求項６乃至９のいずれか１項に記載の電池パックであって、前記電池パックの前記第２連結手段の前記スライド部は、前記スタンドのスライドガイド部に固定して保持されるような細長いスライド部であって、前記スライド部を前記スライドガイド部に沿った任意の調節位置でロックする手段を備えることを特徴とする電池パック。
【請求項１１】
請求項１０に記載の電池パックであって、前記第２連結手段の前記スライド部は細長い鳩尾断面部材であって、前記スライドガイド部は細長い鳩尾断面のスライドガイド部であって、このスライドガイド部に前記スライド部が係合し固定して保持され、かつ、前記スライド部を前記スライドガイド部に対する調整範囲内における任意の位置にロックするように、前記スライド部を押さえる前記締め付け機構を前記スライドガイド部の片側に備えることを特徴とする電池パック。
【請求項１２】
請求項１乃至１１に記載の構成を有する電池パックの２つまたはそれ以上の積み重なりであって、カメラ取り付け台とカメラの間に位置し、前記カメラまたは前記カメラの補助装置に電源を単数または複数供給することを特徴とする電池パックの積み重なり。
【発明の詳細な説明】
【技術分野】
【０００１】
本発明は電池パックに関し、特に、パンチルト取り付け台上のビデオカメラに利用するカメラ用電池パックに適用可能であるが、それに限定されるものではない。
【背景技術】
【０００２】
本発明の目的は、カメラに適切に取り付けられ、取り付け台の汎用性を広げるカメラ用電池パックを提供することである。
【０００３】
【特許文献１】英国特許出願公開第２１８９０４２号明細書
【発明の開示】
【発明が解決しようとする課題】
【０００４】
特に、軽量カメラはパンチルトヘッド上でのバランスの良い位置への取り付けを可能にするため、取り付け台上の前後の調節を改良する必要がある。小型カメラは電池も小型であるため、特に補助装置を使用する場合に、追加電源を装備する必要がある。カメラを追加電源とは離して使用する場合でも、カメラまたは電源のバランスを保つことは重要である。
【課題を解決するための手段】
【０００５】
本発明は、ビデオカメラをスタンドに取り付ける電池パックを提供する。電池パックは、片面にカメラと係合する第１連結手段と、他面にスタンドと係合する第２連結手段とを有する。第１連結手段と第２連結手段とは嵌合構造であって、カメラを電池パックに取り付け、それから電池パックをスタンドに取り付けてもよいし、または、カメラをスタンドに直接取り付けてもよい。
【０００６】
連結手段のうちの少なくとも１つは、電池パックと電池パックが係合する部品との間の直線的な調節を可能にすることが好適である。
【０００７】
より具体的には、第１連結手段は電池パックに対するカメラの直線的な調節を可能にし、第２連合手段はスタンドに対する電池パックの直線的な調節を可能にしてもよい。
【０００８】
本発明の好適な実施形態では、第１連結手段と第２連結手段とによって可能となる、電池パックに対するカメラの調節と、スタンドに対する電池パックの調節とは、平行する直線的な調節である。
【０００９】
さらに、カメラに対する電池パックの直線的な調節を可能にする第１連結手段は、カメラの光軸と平行する調節を可能にしてもよい。
【００１０】
上記のいずれの構成であっても、電池パックの第１連結手段はカメラのスライド部を受け適所でロックする手段を含むスライドガイド部を有してもよく、電池パックの第２連結手段はスタンドのスライドガイド部と係合するスライド部を有してもよい。スタンドのスライドガイド部はスライド部をスライドガイド部の所望の位置にロックする手段を含んでもよい。
【００１１】
この構成では、電池パックの片面にあるスライドガイド部は、カメラの取り付けプレートをカメラの光軸と平行になるようにスライドさせる面を有し、スライドガイド部に沿った任意の調節位置でスライド部をロックするような締め付け手段をスライドガイド部の片側に備えてもよい。
【００１２】
例として、締め付け手段は、スライドガイド部の片側にある固定された噛み合い部と、スライドガイド部の他側にある調節可能な噛み合い部とを有してもよく、調整可能な噛み合い部は、固定された噛み合い部の方向または逆の方向に移動可能であって、カメラの取り付けプレートを電池パックのこれらの噛み合い部の間で締め付けてもよい。
【００１３】
カメラの取り付けプレートは、電池パックのスライドガイド部と係合するような鳩尾断面部であって、電池パックの噛み合い部はプレートの傾斜側面と係合するような形状としてもよい。
【００１４】
これらのいずれの構成においても、電池パックの第２連結手段のスライド部は、スタンドのスライドガイド部に固定して保持されるような細長いスライド部としてもよく、スライド部をスライドガイド部に沿った任意の調節位置でロックする手段を備える。
【００１５】
より具体的には、第２連結手段のスライド部は細長い鳩尾断面部材であって、スライドガイド部は細長い鳩尾断面のスライドガイド部であってもよい。このスライドガイド部にスライド部が係合し固定して保持される。スライド部をスライドガイド部に対する調整範囲内における任意の位置にロックするように、スライド部を押さえる締め付け機構をスライドガイド部の片側に備えてもよい。
【発明を実施するための最良の形態】
【００１６】
次に、図を参照しながら、本発明の具体的な実施形態について説明する。
【００１７】
まず図１を参照するが、ビデオカメラ用のパンチルトヘッドが包括的に符号１０で示されている。図中のヘッドの構造については、当社の特許文献１において説明され図が示されている。
【００１８】
当社の特許文献１で説明されているように、ヘッドにはカメラ用の上部保持プレート１１があり、カメラマンがこの保持プレートを操作できるようにアーム１２が固定されている。保持プレートは水平軸を軸として傾き、ヘッドに備えられたカウンタバランス機構によって、ヘッドがどのような回転位置に動かされても、カメラのバランスは十分に確保される。カウンタバランス機構は調整つまみ１２によって調節でき、生成されるカウンタバランス力を変えられるので、保持プレート上の異なる重さのカメラに対応可能である。パンチルトヘッドは、垂直軸を軸とするヘッドのパン動作も可能である。調節可能な減衰部を備え、パンまたはチルト軸におけるヘッドの手ぶれを減衰し、さらに調整つまみ１４を備え、適応される減衰効果を調節できる。
【００１９】
カメラ保持プレート１１の上面には、標準的な形状をした従来の鳩尾型断面溝１５があって、通常使用される標準的な鳩尾断面カメラ取り付けプレートと嵌合する。ロック機構が備えられているので、鳩尾型断面プレートを鳩尾型断面溝に沿った任意の移動位置にロックすることができる。ロック機構には、溝の片側に取り付けられたブレーキ部材１６がある。ブレーキ部材１６には送りネジが備えられ、ブレーキ部材１６を溝の内側方向または外側方向に移動させてプレートを溝内において固定することができる。送りネジには拡大ヘッド１７があって、必要に応じて送りネジを調節できる。
【００２０】
カメラ取り付けプレートは、符号１８で示され、また、図から明らかなように溝１５と係合する鳩尾型断面の形状である。プレートには延伸した取り付け機構があって、プレートをカメラの底面に固定する。
【００２１】
カメラに電源を供給する電池を保持する電池ユニットが符号２０で示されている。電池ユニットの底面には鳩尾型断面プレート２１が形成され、この鳩尾型断面プレート２１は、カメラに取り付けられる鳩尾型断面プレート１８と同じ形状である。プレート２１は、カメラ保持プレートのスライドガイド部１５と係合し、締め付け部１６，１７によって、スライドガイド部に沿った適所に締め付け可能である。
【００２２】
電池ユニットは、電池ユニットの片側に直立一体型締め付け部材２２を有し、電池ユニットの他側に別の締め付け部材２３を有する。締め付け部材２３は締め付けネジ（図示せず）で固定されており、必要に応じてネジを締められるようにつまみ２４がネジに取り付けられている。カメラ取り付けプレート１８を電池ユニットの上面上方に位置させ、固定された締め付け部材２２と別の締め付け部材２３との間にスライドする。所望の位置においてプレートが係合した状態で締め付け部材２３を締め付けることによって、プレートは所望の位置でロックされる。
【００２３】
電池ユニットはカメラ用の電源によってカメラに連結され、この電源はカメラ本体に通常備えられるよりも大型の単数または複数の電池ユニットを保持することができる。
【００２４】
カメラを取り付けヘッド上で前後に移動できる範囲は、通常、カメラ取り付けプレートがロック部材１６との接触を保つ範囲に限られる。取り付けヘッドとカメラ取り付けプレートとの間に電池ユニットを組み込むことによって、取り付けヘッド上でのカメラの前後調節の範囲は大幅に拡大される。これは、カメラ取り付けプレートが電池ユニット上で前後に調節可能であって、さらに電池ユニットがパンチルトヘッド上で前後に調節可能だからである。
【００２５】
次に図３を参照する。テレビ／ビデオカメラ用のパンチルトヘッド１０、および、取り付け台のカメラ保持プレート１１とカメラ本体との間に積み重ねて取り付けられる３つの電池パック２０が示されている。パンチルトヘッドおよび電池パック２０は、すべてこれまでに描写および説明した形状である。これまでの構成では、カメラを受ける保持プレート上に電池パック２０を１つしか備えていない。次に説明する構成では、ヘッドの保持プレートとカメラとの間に電池パック２０が３つ積み重ねられる。
【００２６】
これまでの構成と同様に、各電池パックには底面に鳩尾断面プレート２１があって、取り付け台の保持プレート１１にある鳩尾断面溝または下段の電池パックの上面に備えられた締め付け構成と係合する。各電池パックの締め付け構成は、電池パックの片側にある固定締め付け部材２２と、電池パックの他側にある調節可能締め付け部材２３とを含む。カメラまたは上段の電池パックの取り付けプレート２１は下段の電池パックの締め付け機構と係合し、締め付け部材２３によって所定の位置に固定されるので、保持プレート１１とカメラ本体との間に、電池パックの固定された積み重なりが形成される。
【００２７】
電池パック２０には、２０Ａで示される電源ソケットがあって、電池パックを並列、直列または個々に連結してカメラおよび／またはカメラに接続された他の補助装置に電源を単数または複数供給可能である。
【００２８】
複数の電池パックを備えることによって、より高い電源を利用可能にできるし、または、より多くの電源を蓄えることによって、電池パックの充電間隔の間のカメラを使用できる時間を伸ばすこともできる。電池パックは、カメラに付随する補助装置に対しても利用可能な電源を供給する。
【００２９】
次に図４〜８を参照する。変更された電池パック２０の形状が示されている。鳩尾断面プレート２１が底面の長手方向に伸び、パンチルトヘッドの保持プレートまたは下段の電池パックにある鳩尾断面溝に係合する。
【００３０】
これまで説明した電池パックの形状にあった固定および調節可能締め付け部材２２，２３は省かれている。電池パックの上面には、電池パックの長手方向に伸びる鳩尾断面スロットつまり溝３０があり、上段の電池パックの鳩尾断面プレート２１を受けるか、最上段の電池パックであればカメラの底面にある鳩尾断面プレートを受ける。
【００３１】
溝３０内の適所にプレート２１を固定するために、溝の片側４２のくぼみ４１内に締め付け部材４０が収められる。締め付け部材４０は、送りネジ４３によって外側に引かれ、プレートを締め付ける。送りネジ４３は、電池パックの他側に取り付けられたサムホイール４４によって操作される。これによって、電池パックまたはカメラをスライドガイド部３０に沿った適所にロックすることができる。サムホイール４４を逆方向に回すことによって、締め付け部材４０を開放して電池パックまたはカメラを開放する。
【００３２】
溝３０は、溝の片側寄りに部分的に沿って設けられた固定ストッパ５０と、溝の他側にあって電池パックの横方向に延びるプランジャ５２上に取り付けられた可動式ストッパ５１とを有する。プランジャ５２には、電池パックの外側にヘッド５３があり、ストッパ５１を溝３０の短手方向に押すことができる。
【００３３】
図７に、電池パック２０の底面にある鳩尾断面プレート２１を示す。プレートには、鳩尾断面部の端から端まで伸びる幅広な溝６０がある。溝の片側には突き当たり部６１が溝の一方の端と対向して形成され、下段の電池パックのスライドガイド部にあるストッパ５０と係合してスライドガイド部に沿った電池パックの一方向における移動を制限する。溝６０の他側には、スライドガイド部に沿った他方向と対向する浅い突き当たり部６２があり、開閉自在なプランジャ５２のストッパ５１と係合する。突き当たり部６１と６２との間隔は、上下の電池パックが対称的に設置されるように設計する。上段の電池パックを下段の電池パック上でスライド移動すると、最終的に突き当たり部６２がストッパ５０と係合することになり、電池パックをそれ以上移動できなくする。同時に、ストッパ５１は突き当たり部６１を通り抜け、その後突き当たり部の後ろではまり、上段の電池パックを下段の電池パック上の適所でロックする。上段の電池パックは、プランジャ５２のヘッド５３を介してストッパ５１を押すことによって開放される。ここでプランジャ５２は、ストッパが突き当たり部６１から外れ、電池パックが下段の電池パックとずれるように移動される際にストッパが突き当たり部を通過してスライド移動されるようにする。
【００３４】
図６と図８とに電池パックの詳細を分解した形式でさらに示す。電池パックは、カートリッジ６５を保持し、その上に一式の電池６６が取り付けられ、カートリッジの片端にはソケット６７がある。ソケット６７は電池パックの端にある開口部に位置し、この電池パックによって電源が供給される他の電池パック、カメラ、または補助装置とこの電池パックとを連結する。
【００３５】
電池パックの上部７０と底部７１とはネジで合わせて固定され、ネジは電池パックの底部から電池パックの上部に設けられたネジ式ソケット７２内に延伸する。
【図面の簡単な説明】
【００３６】
【図１】電池パックおよびカメラ取り付けプレートを含むビデオカメラ用パンチルトヘッドの斜視図である。
【図２】図１に示したパンチルトヘッド、電池パック、およびカメラ取り付けプレートの分解斜視図である。
【図３】カメラおよびカメラの補助装置に拡張電源を供給する３つの電池パックの積み重ねをカメラに取り付けるパンチルトヘッドの斜視図である。
【図４】１つの電池パックがもう１つの電池パックの上に重ねられ、各電池パックの両面のどちらか一面に形状が変更された連結部を有する一組の電池パックの斜視図である。
【図４Ａ】１つの電池パックがもう１つの電池パックの上に重ねられ、各電池パックの両面のどちらか一面に形状が変更された連結部を有する一組の電池パックの斜視図である。
【図５】図４に示した形状を有する単数の電池パックの斜視図であって、電池パックの上面を示した図である。
【図６】図５に示した電池パックの分解斜視図である。
【図７】図５に示した電池パックの斜視図であって、電池パックの底面を示した図である。
【図８】図７に示した電池パックの分解斜視図である。
【図１】
2009534807.tif 000003
【図２】
2009534807.tif 000004
【図３】
2009534807.tif 000005
【図４】
2009534807.tif 000006
【図４Ａ】
2009534807.tif 000007
【図５】
2009534807.tif 000008
【図６】
2009534807.tif 000009
【図７】
2009534807.tif 000010
【図８】
2009534807.tif 000011
【国際調査報告】
2009534807.tif 000012
2009534807.tif 000013